(57)【要約】  回転駆動力の入力を受け付ける入力軸と、この入力軸からトルクの伝達を受ける出力軸と、この出力軸に負荷トルクが作用した際にラジアル方向の力を発生させるボールランプ部と、このボールランプ部から前記ラジアル方向の力を受けるブレーキライニングと、このブレーキライニングが前記ボールランプ部から前記ラジアル方向の力を受けた際に前記ブレーキライニングと圧着するブレーキドラムと、これら入力軸、出力軸、ボールランプ部、ブレーキライニング及びブレーキドラムを内部に収納するハウジングを備えた非可逆機構を提供する。
2014033818.tif 000002
【特許請求の範囲】
【請求項１】
回転駆動力の入力を受け付ける入力軸と、この入力軸からトルクの伝達を受ける出力軸と、この出力軸に負荷トルクが作用した際にラジアル方向の力を発生させるボールランプ部と、このボールランプ部から前記ラジアル方向の力を受けるブレーキライニングと、このブレーキライニングが前記ボールランプ部から前記ラジアル方向の力を受けた際に前記ブレーキライニングと圧着するブレーキドラムと、これら入力軸、出力軸、ボールランプ部、ブレーキライニング、ブレーキドラム及び付勢手段を内部に収納するハウジングとを備えていることを特徴とする非可逆機構。
【請求項２】
前記ブレーキライニング５が前記ボールランプ部を構成する第２のプレートの外方に設けられており、前記第２のプレートの外面に設けた位置決め突起と係合可能な位置決め凹部を有する請求項１記載の非可逆機構。
【発明の詳細な説明】
【技術分野】
【０００１】
本発明は、一般産業機械、航空機器等の動力伝達系に係わり、出力軸に負荷が作用しても入力軸に回転を伝達しない非可逆機構に関する。
【背景技術】
【０００２】
従来より、回転駆動力の入力を受け付ける入力軸と、この入力軸からトルクの伝達を受ける出力軸とを備え、この出力軸に負荷トルクが作用した際にブレーキトルクを発生させて出力軸から入力軸への負荷トルクの伝達を阻止する非可逆機構が種々考えられてきている。【０００３】
このような非可逆機構として従来一般的なものは、以下のような構成を有する。すなわち、図３に示すように、この非可逆機構ａ１は、入力軸ａ２と出力軸ａ３との間にボールランプ部ａ４を介在させ、このボールランプ部ａ４により出力軸ａ３に作用する負荷トルクの回転駆動力を軸方向の荷重に変換し、この荷重を多板ブレーキａ５に印加することによりブレーキトルクを発生させる構成を有する（例えば、特許文献１を参照）。【０００４】
しかして、このような構成においては、以下に述べるような不具合が存在する。すなわち、ブレーキトルクを発生させるための多板ブレーキａ５は、多数の摩擦板ａ６を軸方向に積層させた状態で配置してなるものであるため、このような多板ブレーキａ５を含む非可逆機構ａ１の軸方向の全長が長くなり、部品点数が多くなるという不具合が存在する。さらに、非可逆機構ａ１の軸方向の全長が長くなることから、入力軸ａ２、出力軸ａ３、摩擦板ａ６等を収納するハウジングａ８の全長もつれて長くなり、このような非可逆装置ａ１全体としても重量やコストなどの点で不利が生じるという不具合も存在する。
【先行技術文献】
【特許文献】
【０００５】
【特許文献１】特開２００６−２１４５２３号公報
【発明の概要】
【発明が解決しようとする課題】
【０００６】
本発明は以上の点に着目したものであり、全長が短く、部品点数が少なくかつ軽量である非可逆機構を提供することを所期の目的とする。
【課題を解決するための手段】
【０００７】
以上の課題を解決すべく、本発明に係る非可逆機構は、以下に述べるような制御を行う。すなわち本発明に係る非可逆機構は、回転駆動力の入力を受け付ける入力軸と、この入力軸からトルクの伝達を受ける出力軸と、この出力軸に負荷トルクが作用した際にラジアル方向の力を発生させるボールランプ部と、このボールランプ部から前記ラジアル方向の力を受けるブレーキライニングと、このブレーキライニングが前記ボールランプ部から前記ラジアル方向の力を受けた際に前記ブレーキライニングと圧着するブレーキドラムと、これら入力軸、出力軸、ボールランプ部、ブレーキライニング及びブレーキドラムを内部に収納するハウジングとを備えている。【０００８】
このような構成によれば、出力軸に負荷トルクが作用した際にボールランプ部がラジアル方向の力を発生させ、このラジアル方向の力を利用してブレーキライニングをブレーキドラムに圧着させることにより入力軸への回転の伝達を阻止することができるので、従来の他板ブレーキを用いた非可逆機構と比較して、全長を短くできるとともに、部品点数や重量の削減を図ることもできる。
【発明の効果】
【０００９】
本発明によれば、全長が短く、部品点数が少なくかつ軽量である非可逆機構を提供することができる。
【図面の簡単な説明】
【００１０】
【図１】本発明の一実施形態に係る非可逆機構を示す概略図。
【図２】図１に係るＡ−Ａ断面図。
【図３】従来の非可逆機構を示す概略図。
【発明を実施するための形態】
【００１１】
以下、本発明の一実施形態を、図面を参照して説明する。
【００１２】
本実施形態に係る非可逆機構１は、航空機のフラップの駆動機構等に用いられ、図１及び図２に示すように、回転駆動力の入力を受け付ける入力軸２と、この入力軸２からトルクの伝達を受ける出力軸３と、この出力軸３に負荷トルクが作用した際にラジアル方向の力を発生させるボールランプ部４と、このボールランプ部４から前記ラジアル方向の力を受けるブレーキライニング５と、このブレーキライニング５が前記ボールランプ部４から前記ラジアル方向の力を受けた際に前記ブレーキライニング５と圧着するブレーキドラム６と、これら入力軸２、出力軸３、ボールランプ部４、ブレーキライニング５及びブレーキドラム６を内部に収納するハウジング８とを備えている。
【００１３】
前記入力軸２は、図２に示すように、軸方向一端部に駆動源に接続される入力端２ａを備えており、他端側には前記出力軸３と係り合って該出力軸３を駆動するためのキー２ｂが一体に設けられている。前記キー２ｂは、図１に示すように、本実施形態では３箇所に設けられていて、互いに隣接するキー２ｂ同士が１２０°ずつ周方向に離間している。そして、入力軸２及び出力軸３が回転トルクを一切受けていない状態では、このキー２ｂと前記出力軸３に一体に設けられた第１のプレート９との間に隙間が介在している。
【００１４】
前記出力軸３は、図２に示すように、軸方向一端部に駆動対象物に接続される出力端３ａを備えており、他端側には周方向端部が前記入力軸２のキー２ｂと衝き当たることにより入力軸２から回転駆動力の伝達を受け、前記ボールランプ部４を構成する第１のプレート９が一体に設けられている。
【００１５】
前記ボールランプ部４は、図１及び図２に示すように、前記出力軸３に上述したように一体に設けられ周方向中央部にラジアル方向外向きの第１のボールランプ９ａを有する前記第１のプレート９と、第１のプレート９の外方に設けられ周方向中央部にラジアル方向内向きの第２のボールランプ１０ａを有する第２のプレート１０と、これら第１及び第２のプレート９、１０の第１及び第２のボールランプ９ａ、１０ａ間に配されたボール１１とを備えている。前記第１のプレート９は、図１に示すように、本実施形態では３箇所に設けられており、互いに隣接する第１のプレート９間に前記入力軸２のキー２ｂが配されている。一方、第２のプレート１０は、本実施形態では３箇所に設けられており、互いに隣接する第２のプレート１０間に前記入力軸２のキー２ｂが配されている。通常はこれら第１、第２のプレート９、１０の第１及び第２のボールランプ９ａ、１０ａの周方向中央の間に前記ボール１１が配されており、第１のプレート９と第２のプレート１０とがラジアル方向に最も接近した状態となっている。そして、前記第１のプレート９と前記第２のプレート１０とが第１及び第２のボールランプ９ａ、１０ａとボール１１との間のころがり抵抗に抗して相対回転移動すると、ボール１１が前記第１及び第２のボールランプ９ａ、１０ａ上をころがり移動することにより、第２のプレート１０は第１のプレート９からラジアル方向に離間する方向すなわちラジアル方向外向きに付勢され移動することとなり、前記ブレーキライニング５にラジアル方向外向きの力を伝達する。
【００１６】
前記ブレーキライニング５は、図１及び図２に示すように、前記第２のプレート１０の外方に設けられており、第２のプレート１０の外面に設けた位置決め突起１０ｂと係合可能な位置決め凹部５ａを有する。本実施形態では、このブレーキライニング５も３箇所に設けられている。また、このブレーキライニング５と前記第２のプレート１０との間には、このブレーキライニング５にラジアル方向外向きのプリロード力を負荷するための付勢手段である圧縮コイルばね７を配している。また、このブレーキライニング５の軸心方向両側には、このブレーキライニング５の脱落を防ぐべくキャリア１２を配している。そして、前述したようにボールランプ部４の第２のプレート１０がラジアル方向外向きに付勢され移動すると、このブレーキライニング５はラジアル方向外向きに向かう力の伝達を受けて前記ブレーキドラム６に圧着する。
【００１７】
前記ブレーキドラム６は、図１及び図２に示すように、略円筒状をなし、その内面が前記ブレーキライニング５の外面に対向している。また、このブレーキドラム６は、ハウジング８に固定して設けられている。
【００１８】
以下、この非可逆機構１の各部の動作及び作用について述べる。
【００１９】
出力軸３に負荷トルクが作用した際には、まず出力軸３と第１のプレート９とが一体に回転する。このとき、ボールランプ９ａ、１０ａとボール１１との間のころがり抵抗トルクよりも負荷トルクが大きく、且つ、ばね７の付勢力により発生するブレーキライニング５とドラム６間の摩擦トルクがころがり抵抗トルクより大きい場合、第１のプレート９と第２のプレート１０が相対回転移動し、第２のプレート１０がラジアル方向外向きに付勢され移動する。さらに、この第２のプレート１０がラジアル方向外向きに移動すると、前記圧縮コイルばね７が圧縮されて前記ブレーキライニング５がさらなる付勢力を受けブレーキトルクが増加し最終的にプレート１０とブレーキライニング５が圧着する。換言すれば、図１に示すプレート１０とブレーキライニング５との間の隙間Ｇａｐが食いつぶされる。すなわち、出力軸３は、プレート１０とブレーキライニング５の間に設けた隙間Ｇａｐを食いつぶすのに必要な位相Ｓ１だけ回転した後、回転が阻止される。この相対回転が阻止された後は、負荷トルクが増加されても、この状態を維持したままとなり、入力側に負荷トルクが伝達されることはなく、「ブレーキ状態」となる。負荷トルクと、ブレーキトルクは、比例関係にあり、その簡易関係式は、
Tbrk = Tout *m *Rbrk / (Rb *tan (q) ) = k * Tout   (k = m *Rbrk / (Rb *tan (q) ))
（Tout：負荷トルク、Tbrk：ブレーキトルク）
と表され、Rbrk、Rb、qは、固定パラメータであるため、摩擦係数mを規定することで、
Tout< Tbrkの関係をToutの値に関係なく維持することができる。
（Rbrk:有効ブレーキ半径、Rb：有効ボールランプ半径、s：ボールランプ角）
（図１、２を参照）
ここで、入力軸キー２ｂと、プレート９、１０との隙間は、この回転位相以上にする必要がある。
【００２０】
一方、上述したような非可逆機構１が作動している場合において入力軸２に負荷トルクと逆方向の回転駆動力が入力された際には、キー２ｂが出力軸３に衝き当たり、出力軸３がさらに回転駆動力の伝達を受けて回転することにより出力軸３と第２のプレート１０及びブレーキライニング５との相対位相差が非可逆機構１が作動する以前に戻り、ブレーキライニング５に作用するラジアル方向の力が小さくなり、出力軸３、第２のプレート１０及びブレーキライニング５が一体的に回転する。また、入力軸２に負荷トルクと同方向の回転駆動力が入力された際には、キー２ｂが第２のプレート１０に衝き当たり、入力軸２に入力されたトルクがブレーキトルクと負荷トルクとの差分に達すると第２のプレートがキー２ｂに押圧されて駆動される。このとき、プレート１０は、入力軸キー２ｂに押され、プレート９は、負荷トルクにより回転させられる。したがって、出力軸３と、プレート１０及びブレーキライニング５は、常に、前記位相差Ｓ１を保ったまま回転する。
【００２１】
以上に述べたように、本実施形態によれば、出力軸３に負荷トルクが作用した際にボールランプ部４がラジアル方向の力を発生させ、このラジアル方向の力を利用してブレーキライニング５をブレーキドラム６に圧着させることにより入力軸２への回転の伝達が阻止される。従って、従来の他板ブレーキを用いた非可逆機構と比較して、全長を短くできるとともに、部品点数や重量の削減を図ることもできる。
【００２２】
なお、本発明は以上に述べた実施形態に限らず、種々に変形してよい。
【００２３】
例えば、上述した実施形態では、ボールランプ部の第２のプレートとブレーキライニングとを別体に構成し、これらの間に付勢手段である圧縮コイルばねを介在させるようにしているが、ボールランプ部の第２のプレートとブレーキライニングとを一体に構成し、ボールランプ部の第１のプレートと第２のプレートとの間に付勢手段を介在させるようにしてもよい。
【００２４】
また、ボールランプ部及び入力軸のキーの数は、上述した実施形態では３つに設定しているが、ボールランプ部及び入力軸のキーの数は３以外の任意の数に設定してもよい。
【００２５】
そして、本発明の非可逆機構は、上述した実施形態の説明において例示した航空機のフラップの駆動機構に限らず、一般産業機械、航空機器等の動力伝達系一般に用いてももちろんよい。
【００２６】
その他、本発明の趣旨を損ねない範囲で種々に変形してよい。
【産業上の利用可能性】
【００２７】
本発明の構成を採用すれば、全長が短く、部品点数が少なくかつ軽量である非可逆機構を提供することができる。
【符号の説明】
【００２８】
１…非可逆機構
２…入力軸
３…出力軸
４…ボールランプ部
５…ブレーキライニング
６…ブレーキドラム
８…ハウジング
【図１】
2014033818.tif 000003
【図２】
2014033818.tif 000004
【図３】
2014033818.tif 000005
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
回転駆動力の入力を受け付ける入力軸と、この入力軸からトルクの伝達を受ける出力軸と、この出力軸に負荷トルクが作用した際にラジアル方向の力を発生させるボールランプ部と、このボールランプ部から前記ラジアル方向の力を受けるブレーキライニングと、このブレーキライニングが前記ボールランプ部から前記ラジアル方向の力を受けた際に前記ブレーキライニングと圧着するブレーキドラムと、これら入力軸、出力軸、ボールランプ部、ブレーキライニング、ブレーキドラム及びブレーキライニングにプリロード力を負荷するための付勢手段を内部に収納するハウジングとを備えていることを特徴とする非可逆機構。
【請求項２】
前記ボールランプ部が、前記出力軸に一体に設けられラジアル方向外向きの第１のボールランプを有する第１のプレートと、前記第１のプレートの外方に設けられラジアル方向内向きの第２のボールランプを有する第２のプレートと、これら第１及び第２のプレートの第１及び第２のボールランプ間に配されたボールとを備えたものであって、前記ブレーキライニングが、前記第２のプレートの外方に設けられており、前記第２のプレートの外面に設けた位置決め突起と係合可能な位置決め凹部を有する請求項１記載の非可逆機構。
【手続補正２】
【補正対象書類名】明細書
【補正対象項目名】０００７
【補正方法】変更
【補正の内容】
【０００７】
以上の課題を解決すべく、本発明に係る非可逆機構は、以下に述べるような制御を行う。すなわち本発明に係る非可逆機構は、回転駆動力の入力を受け付ける入力軸と、この入力軸からトルクの伝達を受ける出力軸と、この出力軸に負荷トルクが作用した際にラジアル方向の力を発生させるボールランプ部と、このボールランプ部から前記ラジアル方向の力を受けるブレーキライニングと、このブレーキライニングが前記ボールランプ部から前記ラジアル方向の力を受けた際に前記ブレーキライニングと圧着するブレーキドラムと、これら入力軸、出力軸、ボールランプ部、ブレーキライニング、ブレーキドラム及びブレーキライニングにプリロード力を負荷するための付勢手段を内部に収納するハウジングとを備えている。
【手続補正３】
【補正対象書類名】明細書
【補正対象項目名】０００８
【補正方法】変更
【補正の内容】
【０００８】
このような構成によれば、出力軸に負荷トルクが作用した際にボールランプ部がラジアル方向の力を発生させ、このラジアル方向の力を利用してブレーキライニングをブレーキドラムに圧着させることにより入力軸への回転の伝達を阻止することができるので、従来の他板ブレーキを用いた非可逆機構と比較して、全長を短くできるとともに、部品点数や重量の削減を図ることもできる。
また、本発明に係る非可逆機構のボールランプ部及びブレーキライニングの構成の一例として、前記ボールランプ部が、前記出力軸に一体に設けられラジアル方向外向きの第１のボールランプを有する第１のプレートと、前記第１のプレートの外方に設けられラジアル方向内向きの第２のボールランプを有する第２のプレートと、これら第１及び第２のプレートの第１及び第２のボールランプ間に配されたボールとを備えたものであって、前記ブレーキライニングが、前記第２のプレートの外方に設けられており、前記第２のプレートの外面に設けた位置決め突起と係合可能な位置決め凹部を有するものが挙げられる。
【国際調査報告】
2014033818.tif 000006
2014033818.tif 000007
2014033818.tif 000008
2014033818.tif 000009